(57)【特許請求の範囲】
【請求項１】
最適化メディア経路の確立方法であって、IPマルチメディアサブシステム(IMS)ネットワークに用いられ、前記方法は、
セッション記述プロトコル(SDP)要求と応答とを転送する過程で、第1セッションのSDP応答を受信する時、第1シグナリングゲートウェイ(ALG)は第2 ALGとの間で最適化のメディア経路があることを判断すると、第1セッションのSDP応答を発信する時、発信されるSDP応答に指示情報を携帯することと、
前記第1 ALGが、前記第1セッションのSDP応答を送信するとともに、前記最適化のメディア経路を確立するためのリソース情報の交渉を起動するために、前記第2 ALGを目標とするSDP要求を発信することと、
前記第2 ALGが、前記指示情報を携帯する第1セッションのSDP応答を受信した後、或いは前記第2 ALGを目標とするSDP要求と前記指示情報を携帯する第1セッションのSDP応答とを受信した後、第1セッションのSDP応答を発信することとを含み、
ここで、前記第1セッションのSDP応答における指示情報には関連識別子が携帯され、前記第1 ALGが、前記第2 ALGを目標とするSDP要求を発信するステップにおいて、前記SDP要求を携帯するセッション開始プロトコル(SIP)メッセージの中に前記関連識別子を携帯する最適化メディア経路の確立方法。
【請求項２】
前記指示情報は前記第2 ALGとの間で最適化メディア経路を確立することを指示することに用いられ、前記第1 ALGが発信したSDP要求と第2 ALGが発信した第1セッションのSDP応答には、最適化メディア経路の確立するためのリソース情報をさらに携帯する請求項1に記載の方法。
【請求項３】
該方法はさらに、
前記第2 ALGが、前記第2 ALGを目標とするSDP要求を受信した後、第1セッションメディア経路リソースの釈放を起動することを含む請求項1に記載の方法。
【請求項４】
前記指示情報に第2 ALGと関係の情報を含む請求項1に記載の方法。
【請求項５】
最適化メディア経路の確立方法であって、IPマルチメディアサブシステム(IMS)ネットワークに用いられ、前記方法は、
セッション記述プロトコル(SDP)要求と応答を転送する過程で、第1セッションのSDP応答を受信する時、第1シグナリングゲートウェイ(ALG)が、第2 ALGとの間で最適化のメディア経路があることを判断すると、第1セッションのSDP応答を発信する時、前記発信されたSDP応答に指示情報を携帯することと、
前記第2 ALGが、前記指示情報を携帯する第1セッションのSDP応答を受信した後、前記最適化のメディア経路を確立するためのリソース情報の交渉を起動するために、前記第1 ALGを目標としてSDP要求を発信することとを含み、
ここで、前記第1セッションのSDP応答における指示情報には関連識別子が携帯され、前記第2 ALGが、前記第1 ALGを目標とするSDP要求を発信するステップにおいて、前記SDP要求を携帯するセッション開始プロトコル(SIP)メッセージの中に前記関連識別子を携帯する最適化メディア経路の確立方法。
【請求項６】
前記指示情報は前記第2 ALGとの間で最適化メディア経路を確立することを指示することに用いられ、該方法はさらに、
前記第2 ALGが、前記指示情報を携帯する第1セッションのSDP応答を受信した後、第1セッションのSDP応答を発信し、前記発信されたSDP応答には最適化メディア経路の確立するためのリソース情報を携帯することを含む請求項5に記載の方法。
【請求項７】
該方法はさらに、
前記第1 ALGが、本ALGを目標とするSDP要求を受信した後、第2セッションのSDP応答を発信し、前記第2 ALGが第2セッションのSDP応答を受信した後、第1セッションメディア経路リソースの釈放を起動することを含む請求項5に記載の方法。
【請求項８】
前記指示情報に前記第1 ALGと関係の情報と前記第2 ALGと関係の情報を含む請求項5に記載の方法。
【請求項９】
最適化メディア経路を確立するシグナリングゲートウェイ(ALG)であって、スイッチアウトモジュールとスイッチインモジュールを含み、
前記スイッチアウトモジュールは、セッション記述プロトコル(SDP)要求と応答を転送する過程で、第1セッションのSDP応答を受信する時、本ALGと第1セッションメディア経路におけるほかのALGとの間で最適化のメディア経路があることを判断すると、第1セッションのSDP応答を発信する時、発信されたSDP応答に指示情報を携帯し、及び前記第1セッションのSDP応答を送信するとともに、前記最適化のメディア経路を確立するためのリソース情報の交渉を起動するために、前記ほかのALGを目標とするSDP要求を発信するように設置され、
前記スイッチインモジュールは、本ALGと関係の指示情報を携帯する第1セッションのSDP応答を受信した後、或いは本ALGを目標とするSDP要求と、本ALGと関係の指示情報を携帯する第1セッションのSDP応答とを受信した後、第1セッションのSDP応答を発信するように設置され、
ここで、前記スイッチアウトモジュールにより転送された第1セッションのSDP応答と前記SDP要求においていずれも関連識別子を携帯する最適化メディア経路を確立するシグナリングゲートウェイ(ALG)。
【請求項１０】
前記スイッチアウトモジュールが発信したSDP要求とスイッチインモジュールが発信した第1セッションのSDP応答には最適化メディア経路の確立するためのリソース情報をさらに携帯する請求項9に記載のALG。
【請求項１１】
該ALGはさらに中間モジュールを含み、本ALGと関係ない指示情報を携帯する第1セッションのSDP応答を受信した後、前記本ALGと関係ない指示情報を携帯する第1セッションのSDP応答を発信するように設置される請求項9に記載のALG。
【請求項１２】
最適化メディア経路を確立するシグナリングゲートウェイ(ALG)であって、スイッチアウトモジュールとスイッチインモジュールを含み、
前記スイッチアウトモジュールは、セッション記述プロトコル(SDP)要求と応答を転送する過程で、第1セッションのSDP応答を受信する時、第1セッションメディア経路におけるほかのALGとの間で最適化のメディア経路があることを判断すると、第1セッションのSDP応答を発信する時、発信されたSDP応答に指示情報を携帯するように設置され、
前記スイッチインモジュールは、本ALGと関係の指示情報を携帯する第1セッションのSDP応答を受信した後、前記最適化のメディア経路を確立するためのリソース情報の交渉を起動するために、指示情報に指示された、本ALGとの間で最適化のメディア経路があるALGを目標としてSDP要求を発信するように設置され、
ここで、前記スイッチアウトモジュールにより送信された第1セッションのSDP応答と前記スイッチインモジュールにより送信されたSDP要求においていずれも関連識別子を携帯する最適化メディア経路を確立するシグナリングゲートウェイ(ALG)。
【請求項１３】
前記スイッチインモジュールはさらに、本ALGと関係の指示情報を携帯する第1セッションのSDP応答を受信した後、第1セッションのSDP応答を発信するように設置され、
前記スイッチアウトモジュールとスイッチインモジュールが発信した第1セッションのSDP応答には最適化メディア経路の確立するためのリソース情報をさらに携帯する請求項12に記載のALG。
【請求項１４】
前記スイッチアウトモジュールはさらに、本ALGを目標とするSDP要求を受信した後、第2セッションのSDP応答を発信するように設置され、
前記スイッチインモジュールはさらに、第2セッションのSDP応答を受信した後、第1セッションメディア経路リソースの釈放を起動するように設置される請求項12に記載のALG。
【請求項１５】
前記ALGはさらに中間モジュールを含み、本ALGと関係ない指示情報を携帯する第1セッションのSDP応答を受信した後、前記本ALGと関係ない指示情報を携帯する第1セッションのSDP応答を発信するように設置される請求項12に記載のALG。
【発明の詳細な説明】
【技術分野】
【０００１】
本発明は移動通信技術分野に関し、特に最適化IMSメディア経路の確立方法及び該方法を実現するシグナリングゲートウェイに関する。
【背景技術】
【０００２】
IPマルチメディアサブシステム(IP Multimedia Core Network Subsystem、IMSと略称する)は第3世代パートナーシップ・プロジェクト(3rd Generation Partnership Project、と略称する3GPP)により提出されたIPに基づくネットワークアーキテクチャであり、該システムは開放で柔軟な業務環境を構築し、マルチメディアアプリケーションをサポートし、ユーザーに豊富なマルチメディア業務を提供することができる。
【０００３】
IMSは制御層と業務層に分けられ、その中で、制御層は、主に業務トリガーと制御に用いられる呼セッション制御機能(Call Session Control Function、CSCFと略称する)を含み、CSCFがまたプロキシCSCF(Proxy CSCF、P-CSCFと略称する)、問い合わせCSCF(Interrogating CSCF、I-CSCFと略称する)及びサービングCSCF(Serving CSCF、S-CSCFと略称する)に分けられ、I-CSCFとS-CSCFが選択可能となる。業務層は主にシリーズのアプリケーションサーバ(Application Server、ASと略称する)を含み、具体的なサービス業務を提供することに用いられ、ASが独立のエンティティであってもよく、S-CSCFに存在してもよい。その運行方式は、制御層(S-CSCF)がユーザーのサブスクリプト情報に基づいて業務トリガーを制御し、ASにおける業務を起動し、業務機能を実現することである。
【０００４】
同時に、IMSネットワークにおいてさらに、さまざまなIMSシグナリングとメディアを処理するゲートウェイ機器、例えば、P-CSCF及びそれに制御されたアクセスゲートウェイ(Access Gateway、AGWと略称する)、相互接続境界制御機能(Interworking Border Control Function、I-BCFと略称する)及びそれに制御された相互接続境界ゲートウェイ(Interworking Border Gateway、I-BGWと略称する)、シグナリングとメディアゲートウェイが一体になるセッション境界制御(Session Border Control、SBCと略称する)、アプリケーション層ゲートウェイ(Application Layer Gateway、ALGと略称する)及びそれに制御されたトランスレータゲートウェイ(Transmit Gateway、TrGWと略称する)等があり、これらのゲートウェイの作用は主にメディア経路に対して分割を行うことであり、それにより異なるネットワークの間のインターワーキングを実現し、例えばパブリックネットワーク機器とプライベートネットワーク機器の間のインターワーキング、さらに、コード変換によって異なるコード機能を有するエンティティの間のインターワーキングを実現し、便利に記述するために、すべてのシグナリングゲートウェイをALGとし、それに制御されたメディアゲートウェイをTrGWとしてもよく、IMSシグナリングとメディアを処理するゲートウェイ機器をシグナリングメディアゲートウェイと総称してもよく、例えば、P-CSCFとAGWを1つのシグナリングメディアゲートウェイとしてもよい。便利に記述するために、通話確立要求又は通話更新要求の来る端をメディアゲートウェイの近端とし、行く端をメディアゲートウェイ遠端とする。
【０００５】
セッションの最終目的はメディアの接続を実現するため、セッションにおいてメディアリソース情報を交渉する必要があり、IMSシステムにおいてメディアリソース情報を交渉するプロトコルはセッション記述プロトコル(Session Description Protocol、SDPと略称する)であり、プロトコルの交換の方式は要求回答モードであり、即ち1つのSDP要求が1つのSDP回答(エラーが出して拒絶されることを除去する)を有しなければならなく、SDP要求と回答の内容はいずれもメディアリソース情報であり、メディアリソース情報が、メディア所有者情報(アドレス情報)、メディア接続アドレス、メディアタイプ及びメディアタイプ関係のメディアポートとコーデック情報等を含み、SDP回答の内容において、メディアの数量、タイプ及び順番はSDP要求におけるメディアの数量、タイプ及び順番と完全に同じでなければならない。SDPプロトコルの内容はセッション開始プロトコル(Session Initiation Protocol、SIP)メッセージのメッセージ本文で携帯され、交換過程がSIPの要求回答モードから独立し、つまり、SIPの要求又は回答メッセージにSDP要求を携帯してもよく、SDP回答を携帯してもよく、SDPプロトコル内容を携帯しなくてもよい。
【０００６】
以下に便利に記述するために、図にALGとTrGWエンティティだけを記載されて、他のIMSエンティティがSIPシグナリングメッセージのみをルーティングし、該文の記述に影響しない。
【０００７】
図1Aは、従来の最適化IMSメディア経路を確立する模式図であり、IMS端末UE-AとIMS端末UE-Bとの間の異なるメディア経路及び相応なシグナリング経路を記述しておる。
【０００８】
図1Aに示すように、従来のコール過程が確立したメディア経路はUE1、TrGW1a、TrGW2、TrGW3、TrGW4a、UE2であり、最適化後のメディア経路はUE1、TrGW1b、TrGW5、TrGW4b、UE2であり、最適化後のメディア経路は未最適化のメディア経路より短くなり、1つのTrGWが少なくなるため、最適化のメディア経路はよりリソースを節約し、効率も高い。シグナリングゲートウェイALG1はTrGW1aとTrGW1bを制御し、ALG2はTrGW2を制御し、ALG3はTrGW3を制御し、ALG4はTrGW4aとTrGW4bを制御し、ALG5はTrGW5を制御する。
【０００９】
図1Bは、従来の最適化IMSメディア経路を確立するフロー図であり、図1Aの模式図と対応し、主に以下のステップを含み、
ステップ101、UE1はUE2にSDP要求を発信してメディアリソース情報を交渉し、例えばSIPのコールシグナリング、即ちINVITE(インバイト)要求、又は更新シグナリング、即ちreINVITE(再インバイト)要求を発信することによって、該SIP要求のメッセージ本文で該SDP要求を携帯し、SDP要求の内容がUE1のメディアリソース情報であり、
ステップ102、SDP要求がシグナリングゲートウェイALG1に到達し、シグナリングゲートウェイALG1は、TrGW1aをメディアゲートウェイに選択し、該メディアゲートウェイを制御してSDP要求におけるメディアリソース情報を使用し、且つ遠端と接続するためのメディアリソースを配分し、ALG1は、TrGW1aの遠端と接続するためのメディアリソース情報でSDP要求におけるメディアリソース情報を取って代わり、そしてALG1の関係情報及びセッション識別子と関係の情報を該SDP要求に加入してからSDP要求を転送し、例えばSIPシグナリングを転送することによって該SDP要求を携帯して転送し、
ステップ103、SDP要求がシグナリングゲートウェイALG2に到達し、ALG2は、TrGW2をメディアゲートウェイに選択し、該メディアゲートウェイを制御してSDP要求におけるメディアリソース情報を使用し、且つ遠端と接続するためのメディアリソースを配分し、ALG2は、TrGW2の遠端と接続するためのメディアリソース情報でSDP要求におけるメディアリソース情報を取って代わり、そしてALG2の関係情報及びセッション識別子と関係の情報を該SDP要求に加入してからSDP要求を転送し、例えばSIPシグナリングを転送することによって該SDP要求を携帯して転送し、
ステップ104、SDP要求がシグナリングゲートウェイALG3に到達し、ALG3は、TrGW3をメディアゲートウェイに選択し、該メディアゲートウェイを制御してSDP要求におけるメディアリソース情報を使用し、且つ遠端と接続するためのメディアリソースを配分し、ALG3は、TrGW3の遠端と接続するためのメディアリソース情報でSDP要求におけるメディアリソース情報を取って代わり、そしてALG3関係の情報及びセッション識別子と関係の情報を該SDP要求に加入してからSDP要求を転送し、例えばSIPシグナリングを転送することによって該SDP要求を携帯して転送し、
ステップ105、SDP要求がシグナリングゲートウェイALG4に到達し、ALG4は、TrGW4aをメディアゲートウェイに選択し、該メディアゲートウェイを制御してSDP要求におけるメディアリソース情報を使用し、且つ遠端と接続するためのメディアリソースを配分し、ALG4は、TrGW4aの遠端と接続するためのメディアリソース情報でSDP要求におけるメディアリソース情報を取って代わり、そしてALG4の関係情報及びセッション識別子と関係の情報を該SDP要求に加入してからSDP要求を転送し、例えばSIPシグナリングを転送することによって該SDP要求を携帯して転送し、転送されたSDP要求が最終にUE2に到達し、
ステップ106、UE2はSDP要求におけるメディアリソース情報で交渉し、そしてSDP応答を発信し、UE2のメディアリソース情報を携帯し、例えばSIPシグナリングの「200 OK」回答によって、該SIP回答のメッセージ本文で該SDP応答を携帯し、該SDP応答がALG4に到達し、
ステップ107、ALG4は、受信した経路における各ALG関係情報に基づいて、ALG4とALG1との間でより短い1つの経路があることを判断すると、そしてALG1にSIPの交渉要求メッセージを発信して第2メディア経路セクションを確立し、且ついくつかの受信したALG1関係情報を携帯し、例えばSDP要求を携帯しないINVITEメッセージを発信し、メッセージの目標がALG1のアドレスであり、且つALG1により提供されたセッション識別子関係情報を携帯し、該SIPシグナリングが1つの新しいセッションシグナリング通路を確立し、
ステップ108、SIPの交渉要求メッセージがALG5にルーティングされ、ALG5は該メッセージをALG1に転送し、
ステップ109、SIPの交渉要求メッセージがALG1に到達し、ALG1は、TrGW1bをメディアゲートウェイ(交渉要求メッセージの来る端等の情報に基づいて選択できる)に選択し、遠端と接続するためのメディアリソースを配分し、且つ2回のメディア交渉を関連付け、ALG1は、TrGW1bの遠端と接続するためのメディアリソース情報でSDP要求を発生するとともに、該SDP要求を発信してメディアリソース情報を交渉し、例えば、SIPシグナリングの「200 OK」回答を発信することによって、該SIP回答のメッセージ本文で該SDP要求を携帯し、
ステップ110、SDP要求がシグナリングゲートウェイALG5に到達し、ALG5は、TrGW5をメディアゲートウェイに選択し、該メディアゲートウェイを制御してSDP要求におけるメディアリソース情報を使用し、且つ遠端と接続するためのメディアリソースを配分し、ALG5は、TrGW5の遠端と接続するためのメディアリソース情報でSDP要求におけるメディアリソース情報を取って代わり、そしてSDP要求を転送し、例えばSIPシグナリングを転送することによって該SDP要求を携帯して転送し、転送されたSDP要求が最終にALG4に到達し、
ステップ111、ALG4は、第2メディア経路セクションを選択することを決定し、そしてTrGW4bをメディアゲートウェイに選択し、該メディアゲートウェイを制御してSDP要求におけるメディアリソース情報を使用し、且つ遠端と接続するためのメディアリソースを配分し、ALG4は、TrGW4bの遠端と接続するためのメディアリソース情報でSDP要求におけるメディアリソース情報を取って代わり、そしてSDP要求を転送し、例えばSIPシグナリングのUPDATE(更新)要求のメッセージ本文で該SDP要求を携帯して転送し、転送されたSDP要求が最終にUE2に到達し、
ステップ112、UE2は、新しいSDP要求を受信し、SDP要求におけるメディアリソース情報を使用することに更新し、且つSDP応答をALG4に発信し、SDP応答の内容はUE2のメディアリソース情報であり、例えばSIPシグナリングの「200 OK」回答によって、該SIP回答のメッセージ本文で該SDP応答を携帯し、該SDP応答がALG4に到達し、
ステップ113、ALG4は、TrGW4bのメディアリソース情報でSDP応答を発生し、且つ該SDP応答をALG5に発信し、例えばSIPシグナリングのACK(確認)要求を発信することによって、該SIP要求のメッセージ本文で該SDP回答を携帯し、
ステップ114、SDP応答がシグナリングゲートウェイALG5に到達し、ALG5は、TrGW5のメディアリソース情報でSDP応答におけるメディアリソース情報を取って代わり、そしてSDP応答をALG1に転送し、例えばSIPシグナリングを転送することによって該SDP応答を携帯して転送し、転送されたSDP応答が最終にALG1に到達し、ALG1がTrGW1bを制御してSDP応答におけるメディアリソース情報を使用し、
ステップ115、ステップ113と同時に、ALG4は、SDP応答を発生し無効メディアリソース情報を携帯して元セッションシグナリング通路にて配分されたメディアゲートウェイを釈放することを指示し、例えばメディアのポート番号を0に設置し、且つ元セッションシグナリング通路によって該SDP応答を発信し、例えばSIPシグナリングの「200 OK」回答を発信することによって、該SIP回答のメッセージ本文で該SDP回答を携帯し、
ステップ116〜117、SDP応答がそれぞれALG3とALG2を経てALG1に到達し、ALG3、ALG2及びALG1は、元セッションシグナリング通路にて配分された各メディアゲートウェイ、即ちTrGW3、TrGW2及びTrGW1aを釈放し、
ステップ118、ALG1は、TrGW1bを制御してメディアリソース情報を配分し、且つこのメディアリソース情報でステップ117におけるSDP応答におけるメディアリソース情報を取って代わり、そしてSDP応答を転送し、例えばSIPシグナリングを転送することによって該SDP応答を携帯して転送し、転送されたSDP応答が最終にUE1に到達する。
【００１０】
ここまで、最適化のメディア経路は確立されてしまい、メディア経路はUE1、TrGW1b、TrGW5、TrGW4b、UE2である。
【００１１】
上記記述によると、従来の最適化メディア経路の確立方法は、元セッションシグナリング通路におけるSDP要求と応答の完成時間を遅らせるため、コール確立の時間を影響することが分かった。
【発明の概要】
【発明が解決しようとする課題】
【００１２】
本発明は解決しようとする技術課題が、最適化メディア経路の確立方法及び該方法を実現するシグナリングゲートウェイを提供することであり、効果的にコール確立の時間を短縮させる。
【課題を解決するための手段】
【００１３】
前記課題を解決するために、本発明は最適化メディア経路の確立方法を提供し、IMSネットワークに用いられ、前記方法は、
SDP要求と応答を転送する過程で、第1セッションのSDP応答を受信する時、第1 ALGが第2 ALGとの間で最適化のメディア経路があることを判断すると、第1セッションのSDP応答を発信するとともに、発信されるSDP応答に指示情報を携帯すること、
前記第1 ALGが前記第2 ALGを目標とするSDP要求を発信すること、及び
前記第2 ALGが、前記指示情報を携帯する第1セッションのSDP応答を受信した後、或いは前記第2 ALGを目標とするSDP要求と前記指示情報を携帯する第1セッションのSDP応答を受信した後、第1セッションのSDP応答を発信することを含む。
【００１４】
前記指示情報は前記第2 ALGとの間で最適化メディア経路を確立することを指示することに用いられ、前記第1 ALGと第2 ALGは発信した第1セッションのSDP応答にさらに最適化メディア経路の確立するためのリソース情報を携帯する。
【００１５】
前記第1セッションのSDP応答における指示情報に関連識別子が携帯され、前記第1 ALGが前記第2 ALGを目標とするSDP要求を発信するステップにおいて、前記SDP要求を携帯するSIPメッセージに前記関連識別子が携帯される。
【００１６】
該方法はさらに、前記第2 ALGが前記第2 ALGを目標とするSDP要求を受信した後、第1セッションメディア経路リソースの釈放を起動することを含む。
【００１７】
前記指示情報に第2 ALGと関係の情報を含む。
【００１８】
本発明はさらにほかの最適化メディア経路の確立方法を提供し、IMSネットワークに用いられ、前記方法は、
SDP要求と応答を転送する過程で、第1セッションのSDP応答を受信する時、第1 ALGが第2 ALGとの間で最適化のメディア経路があることを判断すると、第1セッションのSDP応答を発信する時、前記発信されたSDP応答に指示情報を携帯すること、及び
前記第2 ALGが、前記指示情報を携帯する第1セッションのSDP応答を受信した後、前記第1 ALGを目標としてSDP要求を発信することを含む。
【００１９】
請求項6に記載の方法によれば、前記指示情報は前記第2 ALGとの間で最適化メディア経路を確立することを指示することに用いられ、該方法はさらに、
前記第2 ALGが、前記指示情報を携帯する第1セッションのSDP応答を受信した後、第1セッションのSDP応答を発信し、前記発信されたSDP応答に最適化メディア経路の確立するためのリソース情報を携帯することを含む。
【００２０】
該方法はさらに、前記第1 ALGが本ALGを目標とするSDP要求を受信した後、第2セッションのSDP応答を発信し、前記第2 ALGが第2セッションのSDP応答を受信した後、第1セッションメディア経路リソースの釈放を起動することを含む。
【００２１】
前記指示情報に前記第1 ALGと関係の情報と前記第2 ALGと関係の情報を含む。
【００２２】
本発明はさらに最適化メディア経路を確立するALGを提供し、スイッチアウトモジュールとスイッチインモジュールを含み、
前記スイッチアウトモジュールは、SDP要求と応答を転送する過程で、第1セッションのSDP応答を受信する時、本ALGと第1セッションメディア経路におけるほかのALGとの間で最適化のメディア経路があることを判断すると、第1セッションのSDP応答を発信する時、発信されたSDP応答に指示情報を携帯し、及び前記ほかのALGを目標とするSDP要求を発信するように設置され、
前記スイッチインモジュールは、本ALGと関係の指示情報を携帯する第1セッションのSDP応答を受信した後、或いは本ALGを目標とするSDP要求と本ALGと関係の指示情報を携帯する第1セッションのSDP応答を受信した後、第1セッションのSDP応答を発信するように設置される。
【００２３】
前記スイッチアウトモジュールにより転送された第1セッションのSDP応答と前記SDP要求にいずれも関連識別子を携帯する。
【００２４】
前記スイッチアウトモジュールとスイッチインモジュールは発信した第1セッションのSDP応答にさらに最適化メディア経路の確立するためのリソース情報を携帯する。
【００２５】
該ALGはさらに中間モジュールを含み、本ALGと関係ない第1セッションを携帯するSDP応答を受信した後、前記本ALGと関係ない指示情報を携帯する第1セッションのSDP応答を発信するように設置される。
【００２６】
本発明はさらにほかの最適化メディア経路を確立するALGを提供し、スイッチアウトモジュールとスイッチインモジュールを含み、
前記スイッチアウトモジュールは、SDP要求と応答を転送する過程で、第1セッションのSDP応答を受信する時、第1セッションメディア経路におけるほかのALGとの間で最適化のメディア経路があることを判断すると、第1セッションのSDP応答を発信する時、発信されたSDP応答に指示情報を携帯するように設置され、
前記スイッチインモジュールは、本ALGと関係の指示情報を携帯する第1セッションのSDP応答を受信した後、指示情報に指示された本ALGとの間で最適化のメディア経路があるALGを目標としてSDP要求を発信するように設置される。
【００２７】
前記スイッチインモジュールはさら、本ALGと関係の指示情報を携帯する第1セッションのSDP応答を受信した後、第1セッションのSDP応答を発信するにように設置され、
前記スイッチアウトモジュールとスイッチインモジュールは発信した第1セッションのSDP応答にさらに最適化メディア経路の確立するためのリソース情報を携帯する。
【００２８】
前記スイッチアウトモジュールはさらに、本ALGを目標とするSDP要求を受信した後、第2セッションのSDP応答を発信するように設置され、
前記スイッチインモジュールはさらに、第2セッションのSDP応答を受信した後、第1セッションメディア経路リソースの釈放を起動するように設置される。
【００２９】
該ALGはさらに中間モジュールを含み、本ALGと関係ない指示情報を携帯する第1セッションのSDP応答を受信した後、前記本ALGと関係ない指示情報を携帯する第1セッションのSDP応答を発信するように設置される。
【発明の効果】
【００３０】
本発明の前記方法とシグナリングゲートウェイを採用することによって、効果的にコール確立の時間を短縮させ、ユーザーによりよい使用体験を提供することができる。
【００３１】
図面は、本発明をさらに理解するものとなり、且つ説明書の一部になり、本発明の実施例と一緒に本発明を解釈することに用いられ、本発明を制限しない。図面において、
【図面の簡単な説明】
【００３２】
【図１Ａ】従来の最適化IMSメディア経路を確立する模式図である。
【図１Ｂ】従来の最適化IMSメディア経路を確立するフロー図である。
【図２】実施例1のフロー図である。
【図３】実施例2のフロー図である。
【図４】実施例3のフロー図である。
【発明を実施するための形態】
【００３３】
本発明の発明構想は、主動にコールを起動することによって確立時間を短縮させることである。
【００３４】
本発明の方法は、
a)セッション記述プロトコル(SDP)要求と応答を転送する過程で、第1セッションのSDP応答を受信する時、第1シグナリングゲートウェイ(ALG)が第2 ALGとの間で最適化のメディア経路があることを判断すると、第1セッションのSDP応答を発信する時、発信されたSDP応答に指示情報を携帯することと、
b)前記第1 ALGが前記第2 ALGを目標とするSDP要求を発信することと、
c)前記第2 ALGが、前記指示情報を携帯する第1セッションのSDP応答を受信した後、或いは前記第2 ALGを目標とするSDP要求と前記指示情報を携帯する第1セッションのSDP応答を受信した後、第1セッションのSDP応答を発信することとを含む。
【００３５】
前記発信された第1セッションのSDP応答にメディア経路を最適化するためのリソース情報を携帯する。第1セッションのSDP応答を発信することによって第1セッションの確立又は第1セッションの更新を完成し、
前記第2 ALGが前記第2 ALGを目標とするSDP要求を受信した後、第1セッションメディア経路リソースの釈放を起動する。
【００３６】
前記第2 ALGは、自分を目標とする上記SDP要求を受信した後、第2セッションでSDP応答を発信し、第2セッションの確立を完成する。
【００３７】
前記第1セッションのSDP応答における指示情報に関連識別子が携帯され、且つ前記第1 ALGが前記第2 ALGを目標とするSDP要求を発信する時、前記SDP要求を携帯するセッション開始プロトコル(SIP)メッセージに前記関連識別子を携帯し、前記第2 ALGは前記関連識別子に基づいて前記第1セッションと第2セッションを関連付ける。
【００３８】
本方法において、指示情報は、確立しようとする最適化メディア経路が2 ALGと関係があることを指示することに用いられ、主に第2 ALGと関係の情報、例えば第2 ALGにより制御されたメディアゲートウェイの位置を含み、或いは第1セッションのメディア経路における順序番号情報を含む。
【００３９】
或いはステップa)を執行した後、以下のステップを執行し、
b1)前記第2 ALGが、前記指示情報を携帯する第1セッションのSDP応答を受信した後、前記第1 ALGにSDP要求を発信する。
【００４０】
さらに、前記第2 ALGが、前記指示情報を携帯する第1セッションのSDP応答を受信した後、第1セッションのSDP応答を転送して、第1セッションの確立又は更新を完成し、前記SDP応答にメディア経路を最適化するためのリソース情報を携帯する。
【００４１】
さらに、前記第1 ALGは自分を目標とする上記SDP要求を受信した後、第2セッションのSDP応答を発信して、第2セッションの確立を完成する。前記第2 ALGが第2セッションのSDP応答を受信した後、第1セッションメディア経路リソースの釈放を起動する。
【００４２】
本方法において、指示情報は、第1 ALGと第2 ALGとの間で最適化のメディア経路を確立することを指示することに用いられ、主に第1 ALGと関係の情報及び第2 ALGと関係の情報を含む。前記ALGと関係の情報は、例えばALGにより制御されたメディアゲートウェイの位置情報であってもよい。
【００４３】
1つのシグナリングゲートウェイにとって、上記第1シグナリングゲートウェイであってもよく上記第2シグナリングゲートウェイであってもい。異なる通話フローにおいて、1つのシグナリングゲートウェイは同時に第1シグナリングゲートウェイと第2シグナリングゲートウェイとする恐れがあり、従って、それは上記第1シグナリングゲートウェイすべての機能を有しなければならなく、上記第2シグナリングゲートウェイすべての機能をも有しなければならない。
【００４４】
上記方法を実現するシグナリングゲートウェイはスイッチアウトモジュールとスイッチインモジュールを含み、
前記スイッチアウトモジュールは、セッション記述プロトコル(SDP)要求と応答を転送する過程で、第1セッションのSDP応答を受信する時、第1セッションメディア経路におけるあるALGxとの間で最適化のメディア経路があることを判断すると、第1セッションのSDP応答を転送する時、前記SDP応答に指示情報を携帯することに用いられ、及び以ALGxを目標とするSDP要求を発信することに用いられ、
前記スイッチインモジュールは、本ALGと関係の指示情報を携帯する第1セッションのSDP応答を受信した後、或いは本ALGを目標とするSDP要求と本ALGと関係の指示情報を携帯する第1セッションのSDP応答を受信した後、第1セッションのSDP応答を転送することに用いられる。
【００４５】
該シグナリングゲートウェイはさらに第1シグナリングゲートウェイと第2シグナリングゲートウェイとの間の経路におけるほかのシグナリングゲートウェイであってもよく、この時、該シグナリングゲートウェイはさらに中間モジュールを含んでもよく、本ALGと関係ない第1セッションを携帯するSDP応答を受信した後、前記本ALGと関係ない指示情報を携帯する第1セッションのSDP応答を発信することに用いられる。
【００４６】
ほかの上記方法を実現するシグナリングゲートウェイはスイッチアウトモジュールとスイッチインモジュールを含み、
前記スイッチアウトモジュールは、セッション記述プロトコル(SDP)要求と応答を転送する過程で、第1セッションのSDP応答を受信する時、第1セッションメディア経路におけるあるALGxとの間で最適化のメディア経路があることを判断すると、第1セッションのSDP応答を転送する時、前記SDP応答に指示情報を携帯することに用いられ、
前記スイッチインモジュールは、前記指示情報を携帯する第1セッションのSDP応答を受信した後、指示情報に指示するALGxにSDP要求を発信することに用いられる。
【００４７】
該シグナリングゲートウェイは第1シグナリングゲートウェイと第2シグナリングゲートウェイとの間の経路におけるほかのシグナリングゲートウェイであってもよく、この時、該シグナリングゲートウェイはｓらに中間モジュールを含んでもよく、本ALGと関係ない第1セッションを携帯するSDP応答を受信した後、前記本ALGと関係ない指示情報を携帯する第1セッションのSDP応答を発信することに用いられる。
【００４８】
次に、図面によって本発明の好ましい実施例を説明し、ここで記述した好ましい実施例は本発明を説明と解釈するだけに用いられ、本発明を限定しないことを理解しなければならない。
【００４９】
以下の実施例の図に、点線は選択可能な又は条件付きのシグナリングメッセージを表す。
【実施例１】
【００５０】
図2に示すのは図1Aに相応する本実施例のフロー図であり、UE1とUE2が通話を確立し、複数回のセッション確立過程を含み、主に以下のステップを含み、
ステップ201〜206、図1Bにおけるステップ101〜106と同じであり、
ステップ207、ALG4はSDP応答を受信し、ALG4はメディアゲートウェイTrGW4aを制御してSDP応答におけるメディアリソース情報を使用し、且つ近端と接続するためのメディアリソースを配分し、ALG4は受信した経路における各ALG関係情報に基づいて、ALG4とALG1との間で最適化のメディア経路があるかどうかを判断し、例えば、ALG4は地理位置情報に基づいてALG1との間の地理位置が近く、より短い経路があることを判断し、そしてSDP応答に添加しようとする指示情報を発生して、ALG1との間の最適化メディア経路を確立しようとすることを指示し、該指示情報がさらに関連識別子を含んでもよく、後続のSDP要求を関連付けることに用いられ、
ここまで、UE2とTrGW4aとの間のメディア接続は確立されてしまう。
【００５１】
メディア経路における各ALGはいずれも最適化のメディア経路があるかどうかを判断でき、あるALGxとの間で最適化のメディア経路があることを判断すると、リターンバックした応答に指示情報を携帯して、該ALGxと最適化メディア経路を確立することを指示し、ほかのALGは指示情報を携帯する応答を受信した後、最適化メディア経路があるかどうかを判断しなくてもよい。
【００５２】
ALGは、SDP要求に携帯する地理位置情報又はALGドメイン等の位置と関係の情報に基づいて最適化のメディア経路があるかどうかを判断し、例えばALG1はSDP要求メッセージにTrGW1bの地理位置情報を携帯しており、ALG4はTrGW1bとTrGW4bとの地理位置が近く判断し、最適化経路があることと考えられ、ALG1と最適化メディア経路を確立する指示情報を発生する。
【００５３】
指示情報に主にALG1と関係の情報を携帯し、さらにALG4と関係の情報を携帯してもよい。前記ALGと関係の情報は、位置と関係の情報、例えば地理位置情報(該ALGにより制御されたTrGWの情報を含む)又はALGドメインであってもよく、関係ALG(本実施例にALG1である)が所在するカレントのメディア経路、即ち元メディア経路の順序番号情報であってもよい。
【００５４】
ステップ208、ALG4はTrGW4aの近端と接続するためのメディアリソース情報でSDP応答を発生し、且つ該SDP応答に発生した指示情報を添加するとともに、該SDP応答を発信し、例えばSIPシグナリングを転送することによって該SDP応答を携帯して転送し、
ステップ209、SDP応答がALG3に到達し、ALG3はメディアゲートウェイTrGW3を制御してSDP応答におけるメディアリソース情報を使用し、且つ近端と接続するためのメディアリソースを配分し、ALG3はTrGW3の近端と接続するためのメディアリソース情報でSDP応答におけるメディアリソース情報を取って代わり、そしてSDP応答を転送し、例えばSIPシグナリングを転送することによって該SDP応答を携帯して転送し、
ここまで、TrGW4aとTrGW3との間のメディア接続は確立されてしまう。
【００５５】
ステップ210、SDP応答がALG2に到達し、ALG2はメディアゲートウェイTrGW2を制御してSDP応答におけるメディアリソース情報を使用し、且つ近端と接続するためのメディアリソースを配分し、ALG2はTrGW2の近端と接続するためのメディアリソース情報でSDP応答におけるメディアリソース情報を取って代わり、そしてSDP応答を転送し、例えばSIPシグナリングを転送することによって該SDP応答を携帯して転送し、
ここまで、TrGW3とTrGW2との間のメディア接続は確立されてしまう。
【００５６】
ステップ211、SDP応答がALG1に到達し、ALG1はSDP応答に携帯する確立しようとする最適化経路の指示情報を判断し、且つ指示情報がそれと関係があり、そしてTrGW1bを最適化メディア経路に用いられるメディアゲートウェイに選択し、近端と接続するためのメディアリソースを配分し、ALG1はTrGW1bの近端と接続するためのメディアリソース情報でSDP応答を発生し、且つ該SDP応答を発信し、例えばSIPシグナリングを転送することによって該SDP応答を携帯して転送し、UE1が受信したSDP応答におけるメディアリソース情報でメディアを交渉し、
本実施例において、ALG1は複数のTrGWを管理すれば、ALGが指示情報に携帯するALG4と関係の位置情報に基づいて選択してもよく、或いは従来の技術のほかの方法基づいて選択してもよい。
【００５７】
ここまで、TrGW2とTrGW1aとの間のメディア接続とUE1とTrGW1bとの間のメディア接続はいずれも確立されてしまう。
【００５８】
ステップ212、ステップ208と同時に、ALG4はTrGW4bを最適化メディア経路に用いられるメディアゲートウェイに選択し、近端と接続するためのメディアリソースを配分し、ALG4はTrGW4bの近端と接続するためのメディアリソース情報でSDP要求を発生し、且つ該SDP要求を発信し、例えば、INVITE(インバイト)要求を発信することによって、該SIP要求のメッセージ本文で該SDP要求を携帯して発信し、該SIP要求がステップ207で発生した関連識別子を携帯でき、ヘッダー例えばTarget-Dialog(目標セッション)ヘッダーフィールド又はReplaces(取り替え)ヘッダーフィールドによって携帯してもよく、メッセージ本文、即ちSDP要求によって携帯してもよく、
ステップ213、SDP要求がALG5に到達し、ALG5はTrGW5をメディアゲートウェイに選択し、該メディアゲートウェイを制御してSDP要求におけるメディアリソース情報を使用し、且つ近端と接続するためのメディアリソースを配分し、ALG5はTrGW5の近端と接続するためのメディアリソース情報でSDP要求を発生し、且つ該SDP要求を発信し、例えばSIPシグナリングを転送することによって該SDP要求を携帯して転送し、
ステップ202-ステップ210によって、ALG1からALG4までのメディア経路は確立されてしまう。ステップ212-ステップ213によって、ALG4はALG1までのセッションを起動し、ステップ208でALG4により発信されたSDP応答に関連識別子を携帯し、且つステップ212でALG4により発信されたSDP要求にも関連識別子を携帯するため、ALG1は該SDP応答及びSDP要求を受信した後、すでに確立されたALG1からALG4までのセッションとALG4により起動された新セッションが関連付けるものであり、いずれも同一の通話下でのセッションであると考える。
【００５９】
ステップ214、SDP要求が最終にALG1に到達し、ALG1はメディアゲートウェイTrGW1bを制御してSDP要求におけるメディアリソース情報を使用し、且つ遠端と接続するためのメディアリソースを配分し、該メディアリソースは最適化のメディア経路のリソースであり、ALG1はTrGW1bの遠端と接続するためのメディアリソース情報でSDP応答を発生し、且つ該SDP応答を発信し、例えばSIPシグナリングの「200 OK」回答を発信することによって、該SIP回答のメッセージ本文で該SDP応答を携帯して発信し、
ここまで、TrGW1bとTrGW5との間のメディア接続は確立されてしまう。
【００６０】
ステップ215、SDP応答がALG5に到達し、ALG5はメディアゲートウェイTrGW5を制御してSDP応答におけるメディアリソース情報を使用し、且つ遠端と接続するためのメディアリソースを配分し、ALG5はTrGW5の遠端と接続するためのメディアリソース情報でSDP応答を発生し、且つ該SDP応答を発信し、例えばSIPシグナリングを転送することによって該SDP応答を携帯して転送し、SDP応答がALG4に到達し、ALG4はTrGW4bを制御して該SDP応答におけるメディアリソース情報そ使用し、
ここまで、TrGW5とTrGW4bとの間のメディア接続は確立されてしまう、ALG1からALG4までの最適化のメディア経路は確立されてしまう。
【００６１】
ステップ216、ALG1は元メディア経路における各メディアゲートウェイを釈放しようとすると、ALG1は元セッション経路に沿って新しいSDP要求を発信すればよく、無効のメディアリソース情報を携帯して該メディア経路におけるリソースを釈放することを指示し、例えばSIPシグナリングのreINVITE(再インバイト)要求を発信することによって、該SIP要求のメッセージ本文で該SDP要求を携帯して発信し、
ステップ217、SDP要求がALG2に到達し、ALG2はTrGW2の元メディア経路に用いるリソースを釈放し、且つ該SDP要求を転送し、例えばSIPシグナリングを転送することによって該SDP要求を携帯して転送し、
ステップ218、SDP要求がALG3に到達し、ALG3はTrGW3の元メディア経路に用いるリソースを釈放し、且つ該SDP要求を転送し、例えばSIPシグナリングを転送することによって該SDP要求を携帯して転送し、
ステップ216-218は選択可能なステップである。
【００６２】
ステップ219、ステップ215の後であってもよく、ステップ218の後であってもよく、TrGW4bとTrGW4aとが異なれば、ALG4はTrGW4bを制御して遠端と接続するためのメディアリソースを配分し、ALG4はTrGW4bの遠端と接続するためのメディアリソース情報でSDP要求を発生し、且つ該SDP要求をUE2に発信し、例えば、ステップ218の後であれば、SIPシグナリングを転送することによって該SDP要求を携帯して転送することができ、又はステップ215の後であれば、SIPシグナリングのreINVITE(再インバイト)要求を発信することによって、該SIP要求のメッセージ本文で該SDP要求を携帯して発信し、
ステップ220、SDP要求がUE2に到達し、UE2は該SDP要求におけるメディアリソース情報でメディア交渉を行い、且つSDP応答を発信してUE2のメディアリソース情報を携帯し、例えばSIPシグナリングの「200 OK」回答を発信し、該SIP回答のメッセージ本文で該SDP応答を携帯して発信し、
ここまで、UE2とTrGW4bとの間のメディア接続は確立されてしまう。
【００６３】
ステップ221、ステップ220の後であってもよく、ステップ218の後であってもよく、ALG4は元セッション経路に沿って新しいSDP応答を発信し、無効のメディアリソース情報を携帯して該メディア経路におけるリソースがすでに釈放されることを指示し、例えば、ステップ220の後であれば、SIPシグナリングを転送することによって該SDP応答を携帯して転送すればよく、又はステップ218の後であれば、SIPシグナリングの「200 OK」回答を発信することによって、該SIP回答のメッセージ本文で該SDP応答を携帯して発信し、
ステップ222、SDP応答がALG3に到達し、ALG3は該SDP応答を転送し、例えばSIPシグナリングを転送することによって該SDP応答を携帯して転送し、
ステップ223、SDP応答がALG2に到達し、ALG2は該SDP応答を転送し、例えばSIPシグナリングを転送することによって該SDP応答を携帯して転送し、
ステップ216-218を執行した後、ステップ221-223を執行する必要がある。
【００６４】
ここまで、最適化のメディア経路は確立されてしまい、メディア経路はUE1、TrGW1b、TrGW5、TrGW4b、UE2であり、元メディア経路TrGW1a、TrGW2、TrGW3、TrGW4a、UE2がステップ216〜223によって釈放され、TrGW4aとUE2との間のメディア接続はステップ219〜220によってTrGW4bとUE2との間のメディア接続に更新される。本実施例の元メディア経路の確立過程でTrGW1aとUE1との間のメディア接続を確立しなく、最適化のメディア経路を使用すると、さらにこのメディア接続を確立する必要がないためである。
【実施例２】
【００６５】
図3に示すのは図1Aに相応する本実施例のフロー図であり、主に以下のステップを含み、
ステップ301〜310、図2におけるステップ201〜210と同じであり、
ステップ311〜312、図2におけるステップ212〜213と同じであり、
ステップ313、ステップ310におけるSDP応答がALG1に到達し、ALG1は、SDP応答に携帯する確立しようとする最適化経路の指示情報を判断し、且つ指示情報がそれと関係があり、そして新メディア経路を確立する要求を待ち、ステップ312の新メディア経路を確立する新SDP要求がALG1に到達し、ALG1はTrGW1bを最適化メディア経路に用いられるメディアゲートウェイに選択し、近端と接続するためのメディアリソースを配分し、ALG1はTrGW1bの近端と接続するためのメディアリソース情報でSDP応答を発生し、且つ該SDP応答を発信し、例えば元セッション経路におけるSIPシグナリングを転送することによって該SDP応答を携帯して転送し、
実現する時、ステップ310のSDP応答とステップ312のSDP要求はALG1に到達する前後順番が異なる恐れがあるため、ALG1はまず312のSDP要求を受信すれば、ステップ310におけるSDP応答を待たなくて直接にステップ313を執行してもよい。
【００６６】
ALG1はTrGWへの選択が、指示情報で位置と関係の情報以外に、ステップ312メッセージの来る端又は行く端に基づいて決定できる。
【００６７】
ステップ314〜323、図2におけるステップ214〜223と同じであり、
ここまで、最適化のメディア経路は確立されてしまい、メディア経路はUE1、TrGW1b、TrGW5、TrGW4b、UE2であり、元メディア経路TrGW1a、TrGW2、TrGW3、TrGW4a、UE2がステップ316〜323によって釈放され、TrGW4aとUE2との間のメディア接続がステップ319〜320によってTrGW4bとUE2との間のメディア接続に更新される。本実施例の元メディア経路の確立過程でTrGW1aとUE1との間のメディア接続を確立しなく、最適化のメディア経路を使用すると、さらにこのメディア接続を確立する必要がないためである。
【実施例３】
【００６８】
図4に示すのは図1Aに相応する本実施例のフロー図であり、実施例1と異なるのは、本実施例で、ALG1によりSDP要求を発信することであり、前記方法は主に以下のステップを含み、
ステップ401〜406、図2におけるステップ201〜206と同じであり、
ステップ407、ALG4は受信した経路における各ALG関係情報に基づいて、ALG4とALG1との間で1つのより短い経路があることを判断し、そしてSDP応答に添加しようとする指示情報を発生して、ALG1がALG4との間の最適化メディア経路を確立しようとすることを指示し、
本実施例において、ALG1により新セッションを起動するため、指示情報に関連識別子を携帯しなくてもよいが、ALG4の関係情報、例えばALG4のアドレス情報を携帯する必要がある。
【００６９】
ステップ408〜411、図2におけるステップ208〜211と同じであり、
ステップ412、ALG1はTrGW1bを制御して遠端と接続するためのメディアリソースを配分し、ALG1はTrGW1bの遠端と接続するためのメディアリソース情報でSDP要求を発生し、且つ該SDP要求を発信し、例えばSIPシグナリングのINVITE要求によって、該SIP要求のメッセージ本文で該SDP要求を携帯して発信し、要求の目標が指示情報に含まれるALG4関係情報から取得し、
ステップ411とステップ412との執行順番は限定されない。
【００７０】
ステップ413、SDP要求がALG5に到達し、ALG5はメディアゲートウェイTrGW5を制御してSDP要求におけるメディアリソース情報を使用し、且つ遠端と接続するためのメディアリソースを配分し、ALG5はTrGW5の遠端と接続するためのメディアリソース情報でSDP要求を発生し、且つ該SDP要求を発信し、例えばSIPシグナリングを転送することによって該SDP応答を携帯して転送し、
ステップ414、SDP要求がALG4に到達し、ALG4はTrGW4bを制御して該SDP要求におけるメディアリソース情報を使用し、且つ近端と接続するためのメディアリソースを配分し、ALG4はTrGW4bの近端と接続するためのメディアリソース情報でSDP応答を発生し、且つ該SDP応答を発信し、例えばSIPシグナリングの「200 OK」回答を発信することによって、該回答のメッセージ本文で該SDP応答を携帯して発信し、
ここまで、TrGW4bとTrGW5との間のメディア接続は確立されてしまう。
【００７１】
ステップ415、SDP応答がALG5に到達し、ALG5はTrGW5を制御して該SDP応答におけるメディアリソース情報を使用し、且つ近端と接続するためのメディアリソースを配分し、ALG5はTrGW5の近端と接続するためのメディアリソース情報でSDP応答を発生し、且つ該SDP応答を発信し、例えばSIPシグナリングを転送することによって該SDP応答を携帯して転送し、SDP応答がALG1に到達し、ALG1はTrGW1bを制御して該SDP応答におけるメディアリソース情報を使用し、
ここまで、TrGW5とTrGW1bとの間のメディア接続は確立されてしまう。
【００７２】
ステップ416〜418、図2におけるステップ216〜218と同じであり、
ステップ419、ステップ413の後であってもよく、ステップ418の後であってもよく、TrGW4bとTrGW4aが異なれば、ALG4はTrGW4bを制御して遠端と接続するためのメディアリソースを配分し、ALG4はTrGW4bの遠端と接続するためのメディアリソース情報でSDP要求を発生し、且つ該SDP要求を発信し、例えば、ステップ418の後であれば、SIPシグナリングを転送することによって該SDP要求を携帯して転送することができ、又はステップ413の後であれば、SIPシグナリングのreINVITE(再インバイト)要求を発信することによって、該SIP要求のメッセージ本文で該SDP要求を携帯して発信し、
ステップ420、SDP要求がUE2に到達し、UE2は該SDP要求におけるメディアリソースを使用し、且つSDP応答を発信してUE2のメディアリソース情報を携帯し、例えばSIPシグナリングの「200 OK」回答を発信し、該SIP回答のメッセージ本文で該SDP応答を携帯して発信し、
ステップ421、選択可能に、ステップ418の後、或いはステップ420の後、ALG4は元セッション経路に沿って新しいSDP応答を発信し、無効のメディアリソース情報を携帯して該メディア経路におけるリソースがすでに釈放されることを指示し、例えば、ステップ420の後であれば、SIPシグナリングを転送することによって該SDP応答を携帯して転送することができ、又はステップ418の後、SIPシグナリングの「200 OK」回答を発信することによって、該SIP回答のメッセージ本文で該SDP応答を携帯して発信し、
ステップ422、SDP応答がALG3に到達し、ALG3は該SDP応答を転送し、例えばSIPシグナリングを転送することによって該SDP応答を携帯して転送し、
ステップ423、SDP応答がALG2に到達し、ALG2は該SDP応答を転送し、例えばSIPシグナリングを転送することによって該SDP応答を携帯して転送し、
ここまで、最適化のメディア経路は確立されてしまい、メディア経路はUE1、TrGW1b、TrGW5、TrGW4b、UE2であり、元メディア経路TrGW1a、TrGW2、TrGW3、TrGW4a、UE2がステップ416〜423によって釈放されTrGW4aとUE2との間のメディア接続がステップ419〜420によってTrGW4bとUE2の間のメディア接続に更新される。本実施例の元メディア経路の確立過程でTrGW1aとUE1との間のメディア接続を確立しなく、最適化のメディア経路を使用すると、さらにこのメディア接続を確立する必要がないためである。
【００７３】
例示するために、すでに本発明の好ましい実施例を開示しても、本分野の技術者は、各種の改良、増加及び取って代わりが可能となることを意識し、従って、本発明の範囲は上記実施例に限定されないようにする。
【００７４】
本分野の普通技術者は前記方法の中の全部或いは一部ステップを理解することができ、プログラムによって関係ハードウェアを指令して完成することができ、前記プログラムがコンピューターの読み取り可能な記憶媒体、例えば、ROM、ディスク又はCDなどに記憶されてもよい。選択可能的に、前記実施例の全部或いは一部ステップが1つ又は複数の集積回路で実現してもよい。相応的に、前記実施例における各モジュール/ユニットはハードウェアの形式で実現してもよく、ソフトウェア機能モジュールの形式で実現してもよい。本発明はいずれの特定形式のハードウェアとソフトウェアの結合に限定されない。
【産業上の利用可能性】
【００７５】
本発明の前記方法とシグナリングゲートウェイを採用することによって、効果的にコール確立の時間を短縮させ、ユーザーによりよい使用体験を提供することができる。
【図１Ａ】
0005506941.tif 000002
【図１Ｂ】
0005506941.tif 000003
【図２】
0005506941.tif 000004
【図３】
0005506941.tif 000005
【図４】
0005506941.tif 000006